(57)【要約】【課題】横方向に連設したホルダであって一方のペーパのみを使用可能とできるトイレットペーパホルダを提供する。【解決手段】ロール状に形成された第１のトイレットペーパ１０と第２のトイレットペーパ１１とを横方向に連設保持し、第１のトイレットペーパの外周を覆い円周方向の一部に第１の開口部２ａを有した第１のカバー体２と、第２のトイレットペーパの外周を覆い円周方向の一部に第２の開口部３ａを有した第２のカバー体３とを備え、第１のカバー体と第２のカバー体とは芯棒部４を中心に連動して回動自在とされると共に、この回動により第１の開口部を前面側に配置すると第２の開口部は後面側に配置され、第２の開口部を前面側に配置すると第１の開口部は後面側に配置されるように連設される。【選択図】図１
2008006151.tif 000002
【特許請求の範囲】
【請求項１】
ロール状に形成された第１のトイレットペーパと第２のトイレットペーパとを横方向に連設保持するトイレットペーパホルダにおいて、
前記第１のトイレットペーパの外周を覆い円周方向の一部に第１の開口部を有した第１のカバー体と、前記第２のトイレットペーパの外周を覆い円周方向の一部に第２の開口部を有した第２のカバー体とを備え、
前記第１のカバー体と第２のカバー体とは前記第１のトイレットペーパと第２のトイレットペーパとを保持する芯棒部を中心に連動して回動自在とされると共に、該回動により前記第１の開口部を前面側に配置すると前記第２の開口部は後面側に配置され、前記第２の開口部を前面側に配置すると前記第１の開口部は後面側に配置されるように連設されることを特徴とするトイレットペーパホルダ。
【請求項２】
前記第１のカバー体と第２のカバー体との間には前記芯棒部を保持する中間板が配設され、前記第１のカバー体は前記第１のトイレットペーパの側面によって押圧されるロック部を備え、該ロック部は前記第１の開口部が前面側にある場合に前記第１のトイレットペーパの側面によって押圧されることで前記中間板に対して係合し、前記第１のカバー体及び第２のカバー体の回動をロックすることを特徴とする請求項１記載のトイレットペーパホルダ。
【請求項３】
前記第２のカバー体は前記第２のトイレットペーパの側面によって押圧される第２のロック部を備え、該第２のロック部は前記第２の開口部が前面側にある場合に前記第２のトイレットペーパの側面によって押圧されることで前記中間板に対して係合し、前記第１のカバー体及び第２のカバー体の回動をロックすることを特徴とする請求項２記載のトイレットペーパホルダ。
【請求項４】
前記第１のカバー体は前記第１のトイレットペーパの側面及び前記中間板と対向する側面板を有し、該側面板は貫通孔を有すると共に、該貫通孔には前記ロック部が内側に向かって付勢された状態で納められ、前記中間板は前記ロック部が係脱自在な係合部を有してなることを特徴とする請求項２または３記載のトイレットペーパホルダ。
【請求項５】
前記第１のカバー体及び第２のカバー体はそれぞれ前記芯棒部の端部に係脱自在で前記第１のトイレットペーパまたは第２のトイレットペーパの側面に当接する可動側面部を有し、該可動側面部は前記第１のトイレットペーパまたは第２のトイレットペーパの側面に対して弾接することを特徴とする請求項１〜４のいずれか１項に記載のトイレットペーパホルダ。
【請求項６】
前記第１のカバー体及び第２のカバー体の上部は透明板で覆われていることを特徴とする請求項１〜５のいずれか１項に記載のトイレットペーパホルダ。
【発明の詳細な説明】
【技術分野】
【０００１】
本発明は、ロール状に巻き取られたトイレットペーパを保持するトイレットペーパホルダに関し、特に使用に供するトイレットペーパと予備のトイレットペーパとを左右に配置したトイレットペーパホルダに関する。
【背景技術】
【０００２】
従来、ロール状に巻き取られたトイレットペーパを保持するトイレットペーパホルダとしては、使用に供する１つのペーパを保持するものや、使用に供するペーパと予備のペーパを保持するものが用いられている。このうち、２つのペーパを保持するトイレットペーパホルダは、ペーパを上下または左右に配置して、一方のペーパを使い終わったら、予備のペーパを引き出して使用する。このように予備のペーパを備えておけば、取替の回数を減らすことができて、メンテナンスのコストを抑えることができる。このように２つのペーパを保持するホルダのうち、ペーパを左右に配置するものとしては、例えば特許文献１に挙げるようなものがある。
【特許文献１】特開平１０−１２７５２５号公報
【発明の開示】
【発明が解決しようとする課題】
【０００３】
しかし、従来のホルダを連設するトイレットペーパホルダは、いずれのホルダに保持されたペーパも取り出すことのできる状態であるために、使用者は一方のペーパが使い切られていない状態でも他方のペーパを使う場合があって、ペーパの使用状態がまちまちになることがあった。この場合、ペーパの取替えを行う時期の見極めが難しく、メンテナンス作業を困難なものとしていた。
【０００４】
本発明は、上記課題を鑑みてなされたものであり、横方向に連設したホルダであって一方のペーパのみを使用可能とできるトイレットペーパホルダを提供することを目的とする。
【課題を解決するための手段】
【０００５】
上記課題を解決するため、本発明に係るトイレットペーパホルダは、ロール状に形成された第１のトイレットペーパと第２のトイレットペーパとを横方向に連設保持するトイレットペーパホルダにおいて、
前記第１のトイレットペーパの外周を覆い円周方向の一部に第１の開口部を有した第１のカバー体と、前記第２のトイレットペーパの外周を覆い円周方向の一部に第２の開口部を有した第２のカバー体とを備え、
前記第１のカバー体と第２のカバー体とは前記第１のトイレットペーパと第２のトイレットペーパとを保持する芯棒部を中心に連動して回動自在とされると共に、該回動により前記第１の開口部を前面側に配置すると前記第２の開口部は後面側に配置され、前記第２の開口部を前面側に配置すると前記第１の開口部は後面側に配置されるように連設されることを特徴として構成されている。
【０００６】
また、本発明に係るトイレットペーパホルダは、前記第１のカバー体と第２のカバー体との間には前記芯棒部を保持する中間板が配設され、前記第１のカバー体は前記第１のトイレットペーパの側面によって押圧されるロック部を備え、該ロック部は前記第１の開口部が前面側にある場合に前記第１のトイレットペーパの側面によって押圧されることで前記中間板に対して係合し、前記第１のカバー体及び第２のカバー体の回動をロックすることを特徴として構成されている。
【０００７】
さらに、本発明に係るトイレットペーパホルダは、前記第２のカバー体は前記第２のトイレットペーパの側面によって押圧される第２のロック部を備え、該第２のロック部は前記第２の開口部が前面側にある場合に前記第２のトイレットペーパの側面によって押圧されることで前記中間板に対して係合し、前記第１のカバー体及び第２のカバー体の回動をロックすることを特徴として構成されている。
【０００８】
さらにまた、本発明に係るトイレットペーパホルダは、前記第１のカバー体は前記第１のトイレットペーパの側面及び前記中間板と対向する側面板を有し、該側面板は貫通孔を有すると共に、該貫通孔には前記ロック部が内側に向かって付勢された状態で納められ、前記中間板は前記ロック部が係脱自在な係合部を有してなることを特徴として構成されている。
【０００９】
そして、本発明に係るトイレットペーパホルダは、前記第１のカバー体及び第２のカバー体はそれぞれ前記芯棒部の端部に係脱自在で前記第１のトイレットペーパまたは第２のトイレットペーパの側面に当接する可動側面部を有し、該可動側面部は前記第１のトイレットペーパまたは第２のトイレットペーパの側面に対して弾接することを特徴として構成されている。
【００１０】
また、本発明に係るトイレットペーパホルダは、前記第１のカバー体及び第２のカバー体の上部は透明板で覆われていることを特徴として構成されている。
【発明の効果】
【００１１】
本発明に係るトイレットペーパホルダによれば、第１のトイレットペーパの外周を覆い円周方向の一部に第１の開口部を有した第１のカバー体と、第２のトイレットペーパの外周を覆い円周方向の一部に第２の開口部を有した第２のカバー体とを備え、第１のカバー体と第２のカバー体とは第１のトイレットペーパと第２のトイレットペーパとを保持する芯棒部を中心に連動して回動自在とされると共に、この回動により第１の開口部を前面側に配置すると第２の開口部は後面側に配置され、第２の開口部を前面側に配置すると第１の開口部は後面側に配置されるように連設されることにより、第１のトイレットペーパが使用可能な状態では第２のカバー体の開口部は後面側にあって第２のトイレットペーパを引き出せず、また第２のトイレットペーパが使用可能な状態では第１のカバー体の開口部は後面側にあって第１のトイレットペーパを引き出せないようにすることができるので、いずれか一方のトイレットペーパのみを引き出せるホルダとすることができ、両方のトイレットペーパが並行的に使用されることを防ぐことができるので、ペーパの取替時期の判別が容易であり、メンテナンス作業を容易にすることができる。
【００１２】
また、本発明に係るトイレットペーパホルダによれば、第１のカバー体は第１のトイレットペーパの側面によって押圧されるロック部を備え、ロック部は第１の開口部が前面側にある場合に第１のトイレットペーパの側面によって押圧されることで中間板に対して係合し、第１のカバー体及び第２のカバー体の回動をロックすることにより、第１のトイレットペーパが使い終わらなければ第１のカバー体及び第２のカバー体を回動させることができないので、第１のトイレットペーパの使用時により確実に第２のトイレットペーパの使用を防止することができる。
【００１３】
さらに、本発明に係るトイレットペーパホルダによれば、第２のカバー体は第２のトイレットペーパの側面によって押圧される第２のロック部を備え、第２のロック部は第２の開口部が前面側にある場合に第２のトイレットペーパの側面によって押圧されることで中間板に対して係合し、第１のカバー体及び第２のカバー体の回動をロックすることにより、第２のトイレットペーパが使い終わらなければ第１のカバー体及び第２のカバー体を回動させることができないので、第２のトイレットペーパの使用時により確実に第１のトイレットペーパの使用を防止することができる。
【００１４】
さらにまた、本発明に係るトイレットペーパホルダによれば、第１のカバー体は第１のトイレットペーパの側面及び中間板と対向する側面板を有し、側面板は貫通孔を有すると共に、貫通孔にはロック部が内側に向かって付勢された状態で納められ、中間板はロック部が係脱自在な凹部を有してなることにより、簡易な構成で第１のカバー体及び第２のカバー体の回動をロックするロック機構を実現することができる。
【００１５】
そして、本発明に係るトイレットペーパホルダによれば、第１のカバー体及び第２のカバー体はそれぞれ芯棒部の端部に係脱自在で第１のトイレットペーパまたは第２のトイレットペーパの側面に当接する可動側面部を有し、可動側面部は第１のトイレットペーパまたは第２のトイレットペーパの側面に対して弾接することにより、ペーパの回転に適切な抵抗を与えることができ、ペーパの過回転を防ぐことができると共に、ペーパの切断もし易くすることができる。
【００１６】
また、本発明に係るトイレットペーパホルダによれば、第１のカバー体及び第２のカバー体の上部は透明板で覆われていることにより、前面がカバー体に覆われている側のペーパについても、残量を容易に確認することができ、メンテナンス作業を容易にすることができる。
【発明を実施するための最良の形態】
【００１７】
本発明の実施の形態について、図面に沿って詳細に説明する。図１には本実施形態におけるトイレットペーパホルダの斜視図を示している。この図に示すように、本実施形態におけるトイレットペーパホルダは、それぞれロール状に形成された第１のトイレットペーパ１０と第２のトイレットペーパ１１を横方向に連設保持するものであって、壁面に対する固定部となる保持板１と、第１のトイレットペーパ１０及び第２のトイレットペーパ１１を回転自在に保持する芯棒部４と、第１のトイレットペーパ１０を覆う第１のカバー体２及び第２のトイレットペーパ１１を覆う第２のカバー体３とを有してなるものである。また、第１のトイレットペーパ１０と第２のトイレットペーパ１１は、外方側端部をそれぞれ保持板１に対し開放自在に取付けられる可動側面部６によって保持される。
【００１８】
保持板１には中央部に中間板５が設けられており、中間板５は第１のトイレットペーパ１０の側面と第２のトイレットペーパ１１の側面にそれぞれ対向する中間位置に配置される。中間板５には貫通孔５ａが形成されており、ここに芯棒部４が保持される。なお、後述するように中間板５には第１のカバー体２及び第２のカバー体３の回動をロックするための係合孔部５ｂが形成されるが、図１では省略している。
【００１９】
第１のカバー体２は、第１のトイレットペーパ１０の周面を覆う略円筒状に形成されると共に、円周方向の一部が切り欠かれて開口部２ａを形成している。開口部２ａの開口端のうち一方には、ペーパを切断できるように凹凸が繰り返される形状を有した紙切り端部２ｂが形成されている。
【００２０】
また、第１のカバー体２の両端面のうち中央側、すなわち中間板５と対向する面には第１の側面板１２が設けられている。第１の側面板１２には貫通孔１２ａが形成されており、芯棒部４はこれを貫通すると共に固定されている。すなわち、第１のカバー体２は芯棒部４と共に中間板５に対して回動自在とされる。
【００２１】
第２のカバー体３は、第１のカバー体２と同様に第２のトイレットペーパ１１の周面を覆う略円筒状に形成されると共に、円周方向の一部が切り欠かれて開口部３ａを形成している。また、開口部３ａの開口端のうち一方には紙切り端部３ｂも形成されている。
【００２２】
第２のカバー体３にも、その両端面のうち中央側には第２の側面板１３が設けられている。第２の側面板１３には貫通孔１３ａが形成されており、芯棒部４はこれを貫通すると共に固定されている。すなわち、第２のカバー体３は芯棒部４と共に中間板５に対して回動自在であり、かつ第１のカバー体２と連動して周方向に回動することができる。
【００２３】
図１に示すように第１のカバー体２の開口部２ａを前面側に配置した場合、第２のカバー体３の開口部３ａは後面側に配置される。したがって、図１の状態では第１のトイレットペーパ１０のみを引き出すことができ、第２のトイレットペーパ１１は引き出すことができない。第１のカバー体２と第２のカバー体３を中間板５に対し連動して周方向に回動させると、第１のカバー体２の開口部２ａは後面側に移動し、それに伴って第２のカバー体３の開口部３ａは前面側に移動する。つまり、第２のカバー体３の開口部３ａを前面側に配置した場合、第１のカバー体２の開口部２ａは後面側に配置される。
【００２４】
図２には、第１のカバー体２及び第２のカバー体３を周方向に連動して回動させた状態のトイレットペーパホルダの斜視図を示している。第１のカバー体２及び第２のカバー体３には、後述するように第１のトイレットペーパ１０を使い切らなければ図１の状態から回動させることができないようにロック部２０が設けられている。このため図２では第１のトイレットペーパ１０は使い切られた状態となっている。そして、この図に示すように、第１のカバー体２の開口部２ａは後面側に配置され、一方で第２のカバー体３の開口部３ａは前面側に配置され、これによって第２のトイレットペーパ１１を取り出すことができるようになる。
【００２５】
このように、第１のカバー体２と第２のカバー体３は連動した回動に伴って、いずれか一方の開口部のみが前面側に来るよう、開口部の配置を互い違いとしており、したがって第１のトイレットペーパ１０と第２のトイレットペーパ１１は、いずれか一方のみが前面側に露出して引き出すことができるように構成されている。これによって、第１のトイレットペーパ１０を使い切らないうちに第２のトイレットペーパ１１が引き出されることを防止することができ、ペーパ交換の時期を容易に判定することができる。
【００２６】
また図１及び図２に示すように、第１のカバー体２と第２のカバー体３の上部から保持板１にかけて、これらの外周面を覆うように透明板７が設けられる。透明板７はポリカーボネートにより形成されるが、アクリルやガラスなど透明なものであれば他の材料を用いてもよい。透明板７の前端は、開口部２ａ、３ａが後面側に配置される第１のカバー体２または第２のカバー体３の開口端部よりも前面側となるように形成される。これによって、後面側に配置された開口部２ａ、３ａを露出させないようにすることができる。このように透明板７を設けたことにより、後面側に配置された開口部２ａ、３ａを介して第１のカバー体２または第２のカバー体３の内部を上方から見ることができ、メンテナンスの際にペーパの有無を容易に確認することができる。
【００２７】
次に、第１のカバー体２及び第２のカバー体３の回動をロックするロック機構について説明する。第１のカバー体２及び第２のカバー体３のロック機構は、中間板５と第１の側面板１２及び第２の側面板１３に取付けられるロック部２０によって構成される。図３には中間板５の正面図を、図４には第１の側面板１２の正面図を、図５には第１の側面板１２に取付けられるロック部２０の正面図及び側面図を、それぞれ示している。
【００２８】
図３に示すように、中間板５の貫通孔５ａの上方には、円弧状に切り欠かれた係合孔部５ｂが形成されている。係合孔部５ｂは中間板５を貫通するように形成されている。ただしこれに限らず、中間板５の両面に同形状で凹状に形成するようにしてもよい。この係合孔部５ｂにロック部２０が係合することにより、第１のカバー体２及び第２のカバー体３の回動をロックする。
【００２９】
図４に示すように、第１の側面板１２の貫通孔１２ａの上方には、ロック部２０の形状に切り欠かれたロック部取付孔１２ｂが貫通状に形成されている。また、ロック部取付孔１２ｂの上端部にはロック部２０の上端部を固定する固定部１２ｃが形成されている。ロック部２０はロック部取付孔１２ｂに対し上端部を支点として取付けられ、第１の側面板１２の厚み方向に揺動自在とされる。ここでは第１の側面板１２について示しているが、第２の側面板１３も同様に形成される。そして、ロック部取付孔とカバー体の開口部との関係は、第１のカバー体２と第２のカバー体３で同じ配置となるようにされる。したがって、第１の側面板１２と第２の側面板１３がそれぞれ第１のカバー体２と第２のカバー体３に取付けられると、各ロック部２０は円周方向に異なる位置に取付けられることになる。
【００３０】
図５（ａ）にはロック部２０の正面図を、図５（ｂ）にはロック部２０の側面図を、それぞれ示している。図５（ａ）に示すように、ロック部２０は幅細の小片状に形成され、下端部には中間板５の係合孔部５ｂと略同形状で係脱自在な係合部２３を有している。また図５（ｂ）に示すように、ロック部２０の上端部には、第１の側面板１２のロック部取付孔１２ｂに対する取付部２１が形成され、そこから斜め下方に向かって延びる揺動部２２が形成され、さらにその下端部に係合部２３が形成されている。
【００３１】
ロック部２０は樹脂材によって形成されており、弾性を有している。ただし、ロック部２０は樹脂材により形成するものには限られず、弾性を有する他の材料を用いてもよいし、弾性部材を介してロック部２０を第１の側面板１２及び第２の側面板１３に取付けるように構成してもよい。取付部２１が第１の側面板１２に取付けられると、揺動部２２は第１のカバー体２の内方、すなわち第１のカバー体２内に取付けられる第１のトイレットペーパ１０の側面側に突出するように配置される。そして、第１のトイレットペーパ１０の側面によって係合部２３は中間板５の側に押圧され、中間板５の係合孔部５ｂに係合する。
【００３２】
図６には、第１のトイレットペーパ１０によってロック部２０が第１のカバー体２及び第２のカバー体３の回動をロックした状態を示した概要断面図を示している。この図には第１のカバー体２と第２のカバー体３、芯棒部４とそれに保持された第１のトイレットペーパ１０及び第２のトイレットペーパ１１、第１の側面板１２及び第２の側面板１３とそれらに取付けられたロック部２０、及び中間板５とを示している。また、第１のカバー体２の開口部２ａは前面側に、第２のカバー体３の開口部３ａは後面側に、それぞれ配置された状態である。
【００３３】
図６の状態において第１の側面板１２は、ロック部２０が上部にあって、第１のトイレットペーパ１０の側面に押圧されるロック部２０の係合部２３が、中間板５の係合孔部５ｂと係合する位置に配置されている。このようにロック部２０の係合部２３が中間板５の係合孔部５ｂと係合していることにより、第１のカバー体２及びそれと連動する第２のカバー体３の回動をロックしている。この際、第２の側面板１３においてはロック部２０が下部にあって、係合部２３は中間板５に当接した状態となっている。すなわち、第２の側面板１３のロック部２０はロックの機能を果たしておらず、第１の側面板１２のロック部２０のみでロックしている。
【００３４】
図７には第１のトイレットペーパ１０が使い切られてロック部２０が解除された状態を示した概要断面図を示している。この図に示すように、図６の状態から第１のトイレットペーパ１０を使用してそれを使い切ると、ロック部２０を押圧していた側面が消滅するため、ロック部２０は元の形状に戻って、係合部２３による中間板５の係合孔部５ｂに対する係合状態が解除される。これによってロックは解除され、第１のカバー体２及び第２のカバー体３は芯棒部４を中心に回動することができるようになる。このように、第１のトイレットペーパ１０を使い切ることでロックが解除されるようにしたので、第１のトイレットペーパ１０を使い切らないうちに第１のカバー体２及び第２のカバー体３が回動されて、第２のトイレットペーパ１１が使われてしまうことを防ぐことができる。
【００３５】
図８には第２のトイレットペーパ１１によってロック部２０が第１のカバー体２及び第２のカバー体３の回動をロックした状態を示した概要断面図を示している。第１のトイレットペーパ１０を使い終わった後で第１のカバー体２及び第２のカバー体３を回動させ、第１のカバー体２の開口部２ａを後面側に移動させると共に第２のカバー体３の開口部３ａを前面側に移動させると、第２の側面板１３のロック部２０はそれに伴って上方に移動し、係合部２３が中間板５の係合孔部５ｂに係合する。これによって第２のカバー体３及びそれと連動する第１のカバー体２は、回動をロックされる。なお、第１の側面板１２に取付けられたロック部２０は、第１のカバー体２の回動に伴って下部に位置する。
【００３６】
第２のトイレットペーパ１１は、それが使い切られるまでは側面でロック部２０を中間板５側に押圧するので、第２のカバー体３及び第１のカバー体２の回動はロックされた状態となる。第２のトイレットペーパ１１が使い切られると、ロック部２０の係合部２３による中間板５の係合孔部５ｂに対する係合状態は解除されて、第１のカバー体２及び第２のカバー体３を回動させることができるようになる。
【００３７】
次に、可動側面部６について説明する。図９には可動側面部６を開放状態とした場合のトイレットペーパホルダの斜視図を示している。この図に示すように、可動側面部６は保持板１側にヒンジ部３０を備え、このヒンジ部３０を中心に回動して第１のトイレットペーパ１０または第２のトイレットペーパ１１の側面を保持した閉状態から図９に示す開状態まで動作する。
【００３８】
可動側面部６の先端側には、芯棒部４の端面から挿入され係合する挿入部３１が形成されている。また、挿入部３１の周囲部にはこれを囲むリング状に形成された弾性押圧部３２が形成されている。弾性押圧部３２は可動側面部６の厚み方向に伸縮自在に形成されると共に、内部にバネを有しており、これが第１のトイレットペーパ１０または第２のトイレットペーパ１１の側面を押圧して、これらの回動時においてそれに対抗する抵抗力を発生する。図９では第２のカバー体３側に設けられる可動側面部６について示しているが、第１のカバー体２側に設けられる可動側面部６も同様の構造からなっている。
【００３９】
図１０にはトイレットペーパを取付けていない状態の可動側面部６の正面図を示している。この図に示すように、可動側面部６の挿入部３１は芯棒部４の端面から挿入されて係合状態となっている。また、弾性押圧部３２は可動側面部６の厚み方向に伸張した状態となっている。
【００４０】
図１１にはトイレットペーパを取付けた状態の可動側面部６の正面図を示している。この図に示すように、第２のトイレットペーパ１１が芯棒部４に取付けられると、可動側面部６の弾性押圧部３２は、第２のトイレットペーパ１１の側面によって厚み方向に押圧され、収縮した状態となる。前述のように弾性押圧部３２の内部にはバネが設けられており、この状態においては押圧する第２のトイレットペーパ１１の側面に対して対抗する付勢力が発生する。これによって第２のトイレットペーパ１１は側面から押圧され、反対側の側面が当接する中間板５との間で挟持された状態となる。
【００４１】
これによって、第２のトイレットペーパ１１を芯棒部４を中心に回転させた場合に、その回転に対するブレーキとすることができるので、第２のトイレットペーパ１１が回りすぎることを防止することができ、外部に取り出すペーパの量を適切に調整することができる。また、第２のトイレットペーパ１１が停止した状態で、わずかな力では回転しないようにすることができるので、ペーパの切断をし易くすることができる。図１０及び図１１には第２のトイレットペーパ１１が取付けられる側の可動側面部６について示しているが、第１のトイレットペーパ１０が取付けられる側の可動側面部６についても同様の構成からなると共に、同様の機能を有している。
【００４２】
以上、本発明の実施形態について説明したが、本発明の適用は本実施形態に限られず、その技術的思想の範囲内において様々に適用されうるものである。例えば、本実施形態では第１のトイレットペーパ１０と第２のトイレットペーパ１１を横方向に連設するものについて示したが、これらが縦方向となるように第１のカバー体２と第２のカバー体３とを縦方向に連設するようにしてもよい。この場合には第１のカバー体２及び第２のカバー体３には、各ペーパの自重を側面で支えることができるように側面板を設ける必要がある。
【図面の簡単な説明】
【００４３】
【図１】本実施形態におけるトイレットペーパホルダの斜視図である。
【図２】第２のカバー体の開口部が前面側に来るように回動させた場合のトイレットペーパホルダの斜視図である。
【図３】中間板の正面図である。
【図４】第１の側面板の正面図である。
【図５】ロック部の正面図及び側面図である。
【図６】第１のトイレットペーパによってロック部がカバー体の回動をロックした状態を示した概要断面図である。
【図７】第１のトイレットペーパが使い切られてロック部が解除された状態を示した概要断面図である。
【図８】第２のトイレットペーパによってロック部がカバー体の回動をロックした状態を示した概要断面図である。
【図９】可動側面部を開放状態とした場合のトイレットペーパホルダの斜視図である。
【図１０】トイレットペーパを取付けていない状態の可動側面部の正面図である。
【図１１】トイレットペーパを取付けた状態の可動側面部の正面図である。
【符号の説明】
【００４４】
１    保持板
２    第１のカバー体
２ａ  開口部
３    第２のカバー体
３ａ  開口部
４    芯棒部
５    中間板
５ｂ  係合孔部
６    可動側面部
７    透明板
１０    第１のトイレットペーパ
１１    第２のトイレットペーパ
１２    第１の側面板
１３    第２の側面板
２０    ロック部
２３    係合部
３０    ヒンジ部
３１    挿入部
３２    弾性押圧部
【図１】
2008006151.tif 000003
【図２】
2008006151.tif 000004
【図３】
2008006151.tif 000005
【図４】
2008006151.tif 000006
【図５】
2008006151.tif 000007
【図６】
2008006151.tif 000008
【図７】
2008006151.tif 000009
【図８】
2008006151.tif 000010
【図９】
2008006151.tif 000011
【図１０】
2008006151.tif 000012
【図１１】
2008006151.tif 000013